(57)【要約】【課題】ＯＡ用または一般家庭用のコピー機やプリンタ装置を用いて、柔軟性がある素材に対して電子画像等のコピーやプリントを円滑かつ正確に行えるようにする。【解決手段】一面に電子画像が形成可能な柔軟性のあるシート素材１と、シート素材１の他面に付着されたホットメルト層２と、ホットメルト層２を介してシート素材１に貼着された剥離シート３との積層体からなり、剥離シート３は、電子画像形成装置内にシート素材１を円滑に通過可能に支持する硬さまたは厚みを有し、前記積層体は、国際規格または国内規格によるサイズを持つ。【選択図】図１
0003134409.tif 000002
【実用新案登録請求の範囲】
【請求項１】
一面に電子画像が形成可能な柔軟性のあるシート素材と、該シート素材の他面に付着されたホットメルト層と、該ホットメルト層を介して前記シート素材に貼着された剥離シートとの積層体からなり、
前記剥離シートは、電子画像形成装置内に前記シート素材を円滑に通過可能に支持する硬さまたは厚みを有し、
前記積層体は、国際規格または国内規格によるサイズを持つことを特徴とする電子画像形成シート。
【請求項２】
国際規格または国内規格によるサイズを持つ前記積層体が、所定の複数枚を単位として包装されていることを特徴とする請求項１に記載の電子画像形成シート。
【考案の詳細な説明】
【技術分野】
【０００１】  本考案は、電子画像形成装置によって柔軟なシート素材上にコピーまたはプリントが行われる電子画像形成シートに関する。
【背景技術】
【０００２】  従来から、事務所や家庭でコピー機やプリンタ装置などの電子画像形成装置を用いて文字や図形などをコピーしたりプリントしたりするのに、プレーンペーパコピー（ＰＰＣ）用紙が広く用いられている。また、このＰＰＣ用紙として、コピー対象やプリント対象に応じて熱転写用、レーザプリント用、インクジェットプリント用、フォトプリント用など様々な種類が提供されている（例えば、特許文献１参照）。【０００３】  これらのコピー用紙やプリント用紙は、外見こそ普通の上質紙と変わりがないものの、コピー機やプリンタ装置内に送り込まれた場合に紙詰まりが生じないこと、２枚以上が同時に送り込まれないこと、腰が強いこと、カールしないこと、表面が円滑であること、紙粉が発生しないことなどが考慮されて、作られている。【０００４】  一方、コピー用紙やプリント用紙として、Ａ型およびＢ型の２規格によるサイズのものが一般に普及している。Ａ型の規格はドイツ国のＤＩＮ規格によるもので、今日は国際規格とされ、一方、Ｂ型の規格は江戸時代に生産された「美濃紙」サイズに基づいて決められた日本国独自の国内規格である。【０００５】  ところで、コピー機やプリンタ装置によって文字や画像等のコピーやプリントを行う場合には、前述のように、機内で紙詰まりか生じないように、コピー用紙やプリント用紙の腰をある程度強くしたり、表面を円滑にする処理を施したりしている。
【特許文献１】特開２００６−１０３２９３号公報
【考案の開示】
【考案が解決しようとする課題】
【０００６】  しかしながら、前記コピー機やプリンタ装置を使用して、腰の弱い例えば布のような柔軟素材に対してコピーやプリントを行うことは不可能である。つまり、
これまでのＯＡ用や家庭用のコピー機やプリンタ装置では、このような柔軟な素材に対するコピーやプリントに対応できない。従って、ユーザ自身が布地に文字や画像のコピーやプリントを行い、この布地を衣類や服装品等に貼り付けたり縫い付けたりすることにより新しいデザインの服飾品等を得たいとする要請にも対応できない。また、布地は、前述のように柔軟であるため、コピー機内やプリンタ装置内で布地が伸縮したり位置ずれしたりすることによって、文字や絵柄を布地の所定位置に、所定のサイズに正確にコピーまたはプリントすることはきわめて困難である。【０００７】  本考案は、かかる従来の問題点に着目してなされたものであり、ＯＡ（オフィスオートメーション）用または一般家庭用のコピー機やプリンタ装置によって柔軟性がある素材に対して電子画像等のコピーやプリントを円滑かつ正確に行えるようにする電子画像形成シートを得ることを目的とする。
【課題を解決するための手段】
【０００８】  前記目的達成のために、本考案にかかる電子画像形成シートは、一面に電子画像が形成可能な柔軟性のあるシート素材と、該シート素材の他面に付着されたホットメルト層と、該ホットメルト層を介して前記シート素材に貼着された剥離シートとの積層体からなり、前記剥離シートは、電子画像形成装置内に前記シート素材を円滑に通過可能に支持する硬さまたは厚みを有し、前記積層体は、国際規格または国内規格によるサイズを持つことを特徴とする。【０００９】  この構成により、手書きやパソコンで作成した絵柄や文字などを、トナー画像やインクジェット画像としてＡ型規格やＢ型規格のサイズの柔軟なシート素材上に正確に形成することができる。このシート素材に一体の剥離シートを除去すれば、そのシート素材を衣料品や服飾品などの生地、あるいはハンドバッグ、靴といった製品の上に任意に貼り付けることができる。これにより、ユーザ自身が作成または選んだ独自のデザインの衣料や服飾品、その他の製品を簡単、迅速に作成することができる。【００１０】  また、前記シート素材が柔軟であるにも拘らず、これが硬質の剥離シートに貼着されているため、電子画像形成シート全体として電子画像形成装置内に通されるときには、シート素材およびこのシート素材上への画像のコピーまたはプリントを、伸び縮みなく所定の位置に正確に行うことができる。【００１１】  また、電子画像形成シートは、ユーザが文房具店や事務用品店等で入手可能なＰＰＣ用紙のＡ型規格またはＢ型規格と同等の各サイズで用意される。これにより、一般的なＯＡ用や一般家庭用のコピー機あるいはプリンタ装置を利用して、必要とする絵柄や文字などのコピーまたはプリントを、誰もが簡単、迅速に必要量分得ることができる。【００１２】  また、本考案にかかる電子画像形成シートは、ＩＳＯ規格またはＪＩＳ規格によるサイズの積層体が、所定の複数枚を単位として包装されていることを特徴とする。
この構成により、ユーザはこの柔軟性があるシート素材の必要枚数を任意に入手して、一般に普及しているＯＡ用や家庭用のコピー機やプリンタ装置を用いて、必要とする文字や絵柄を、必要とする枚数のシート素材に簡単にコピーまたはプリントすることができる。また、画像等のコピーやプリントを行ったシート素材を、生地や衣料品等に貼り付けることにより、これらの衣料品等のデザインに独自性を付与することができる。
【考案の効果】
【００１３】  本考案によれば、ＯＡ用または一般家庭用のコピー機やプリンタ装置を利用することにより、柔軟性があるシート素材に対して文字や画像のコピーまたはプリントを簡単、円滑かつ正確に行えるとともに、この文字や画像がコピーまたはプリントされたシート素材を生地や衣料品等に熱圧着するだけで、個性的なデザインの衣料品や身装品を容易に作成することができる。
【考案を実施するための最良の形態】
【００１４】  以下に、本考案にかかる電子画像形成シートの実施の形態を、図面を参照しながら説明する。
図１は、本考案の実施の形態による電子画像形成シートを示す断面図である。
この電子画像形成シートは、一般家庭にもあるコピー機やプリンタ装置などの電子画像形成装置を使用することにより手書きの文字や画像などをコピーしたり、ユーザ自身がパソコン上で作成した絵柄や文字などをプリントしたりするのに利用される。【００１５】  図１において、電子画像形成シートＡは、柔軟性のあるシート素材と、このシート素材１の片面（一面）に付着されたホットメルト樹脂またはホットメルト樹脂フィルムなどのホットメルト層２と、このホットメルト層２を介して、前記シート素材１に貼着された剥離シート（剥離フィルム）３と、を備えている。【００１６】  これらのうち、シート素材１は、円弧面や屈曲面にも馴染み易く、強靭で柔軟性がある例えば合成皮革が、コピー用紙の国際規格（ＩＳＯ）または国内規格（ＪＩＳ）と同等のサイズに裁断されたものからなる。ここで、国際規格は、ドイツ国のＤＩＮ規格を基本としたＡ３〜Ａ５サイズ等であり、国内規格は、Ｂ３〜Ｂ５サイズ等である。本実施の形態では、主にＯＡ用や家庭用のコピー機やプリンタ装置で使用可能なサイズ（面積および厚み）とされる。【００１７】  前記合成皮革としては、例えば、エクセーヌ（東レ株式会社の商品名）やラムース（株式会社旭化成の商品名）などが用いられる。また、柔軟性のあるシート素材１は、トナー画像やインクジェット画像をクリアにコピーまたはプリントできるように、表面に平滑処理が施されている。【００１８】  前記ホットメルト層２を構成するホットメルト樹脂としては、シート素材１に接着可能であれば、特に限定されるものではなく、例えば熱可塑性ポリウレタン、スチレン／エチレン／ブチレン共重合体、エチレン／酢酸ビニル熱可塑性エラストマー等からなる接着材が用いられる。このホットメルト層２の層厚は、接着力の不足または接着材の食み出しを回避できる粘度で、例えば５０〜１５０μｍとすることが望ましいが、本実施の形態では特にこの値に限定されない。【００１９】  また、剥離シート３としては、ホットメルト層２から剥離可能であれば特に材質については限定されないが、例えばポリプロピレン、ポリ塩化ビニル、ポリカーボネート，ポリエチレンテレフタレートなどが用いられる。この剥離シート３は、シート素材１上の所定位置に文字や画像のコピーやプリントを伸び縮みなく正確に行えるように、所定の抗張力や硬さ、または厚みを持つ。【００２０】  前記構成になる電子画像形成シートＡは、電子画像形成装置であるコピー機やプリンタ装置によって、そのシート素材１の一面に、図２に示すような画像層４が形成される。つまり、前記のような電子画像形成シートＡを電子画像形成装置に通すことによって、手書きやパソコン等で作成された絵柄や文字等を、シート素材１上に画像層４として載せる（印刷する）ことができる。
ここで、画像層４は、例えばレーザコピーやレーザプリントではトナー画像層であり、インクジェットによるコピーやプリントではインク層である。【００２１】  なお、シート素材１のホットメルト層２に接着される面（他面）とは反対側の面（一面）は、画像層４のコピーまたはプリントが滑らかに行われるような平滑面に、つまりトナー画像形成面やインクジェット画像形成面として使用可能に物理的または化学的な表面平滑処理が施されている。【００２２】  例えば、このシート素材１の前記他面を、粒度が＃８００程度のサンドペーパを用いて平滑処理をする。これにより、その表面が滑らか（平滑処理面）になってトナーやインクの付着が良好になり、この表面上に絵柄や文字等をクッキリと表出することができる。また、その表面にインクの吸収と沈着を適正化するコート処理（例えば、カチオン系界面活性処理）を施すことで、インクジェット画像の絵柄や文字等を滲みなく、表出することができる。【００２３】  前記エクセーヌなどの柔軟性があるシート素材１の表面は凹凸面であるが、この凹凸面をなくし、さらに表面を滑らかにするために、カレンダー荷重が例えば３０トン／平方センチメートルとなる一対のロール間を通過させる。これにより、この凹凸面をなくし、さらに表面を滑らかにしてきれいな画像を表出することができる。
なお、シート素材１表面の一部に対する前記平滑処理を省くことで、シート素材１の表面の凹凸部分をデザイン上の特徴として残した画像層４の形成も可能である。【００２４】  本実施の形態では、複数枚の電子画像形成シートＡに対して複数枚の電子画像形成シートＡを電子画像形成装置に順次送り込むことで、各電子画像形成シートＡ上に画像層４を次々に形成することができる。この送り込みの際に、柔軟なシート素材１が伸びたり、縮んだり、撓んだり、折れ曲がったりしないように、このシート素材１は、前述のように、ホットメルト層を介して所定の硬さや厚みを持つ剥離シート３に支承させて（貼り付けて）ある。【００２５】  従って、ユーザがパソコンを使って作成した絵柄や文字等の画像層４を、所定の形状、サイズに維持したまま、つまり伸び縮みなどがなくシート素材１に対してコピーまたはプリントすることができる。同様にして、ユーザが用紙に手書き等で描いた絵柄や文字等を、コピー機を用いることで、前記電子画像形成シートＡを構成するシート素材１の表面に対し連続コピー（複製）することができる。【００２６】  このような構成の電子画像形成シートＡは、一般家庭やオフィスにある汎用のコピー機やプリンタ装置でコピーやプリントが可能な、例えばＡ２〜Ａ５サイズやＢ２〜Ｂ５サイズなどに形成されている。これにより、一般ユーザが作成したカラーやモノトーンの絵柄や文字等の画像層４を持つシート素材１を簡単に得ることができる。【００２７】  前記電子画像形成シートＡのうちコピーやプリントを行った一部の絵柄部分を切り抜いた後、剥離シート３を除去した上で、別の生地に貼り付けることもできる。このようにして得られた生地や切り抜かれて貼り付けられる生地の一部である絵柄や文字等は、ユーザ自身が作成した世界に１つしかないデザインであり、他製品との差別化を図ることができる。【００２８】  図３は、例えばＡ３サイズのトナー画像を持つ電子画像形成シートＡを裁断および法制することによって、ハンドバッグ２１を作成したものを示す。このハンドバッグ２１を構成するシート素材１の表面には、ハートマークと文字「Ｂ」を組み合わせた絵柄２２がトナー画像やインクジェット画像によって設けられている。これらの画像もユーザ自身のデザインによるものであるため、他製品に対して差別化を図ったデザインをハンドバッグ上に表現することができる。【００２９】  図４は、電子画像形成シートＡを裁断および縫製することによって、パンプス３１を作成したものを示す。このパンプス３１を構成するシート素材１の表面には、ハートマークと文字「Ｂ」を組み合わせた絵柄３２がトナー画像やインクジェット画像によって設けられている。これらのトナー画像やインクジェット画像もユーザ自身のデザインによるものであるため、他製品に対して差別化を図ったデザインをパンプス３１上に表現することができる。【００３０】  また、前記ハンドバッグ２１とおよびパンプス３１に表される絵柄を、それぞれ同一または関連するものとすることにより、デザイン上の統一を図ることができ新規なファッション性を表現することができる。【００３１】  また、図２に示した画像層４に画像がコピーまたはプリントされた電子画像形成��ートＡに対し、種々の形状の型抜きを行った後、剥離シート３を剥がして、シート素材１を、ホットメルト層２を介してレース地やオーガンジー等に貼り合わせることもできる。これにより、例えば膨れ織に似たような効果を衣料や服飾品上に表すことができる。【００３２】  前記画像層４のシート素材１に対する密着性を確保し保護するために、その画像層４の表面に対し、吹き付けや張り合わせによるシリコーン撥水処理膜や保護処理膜を施すことができる。これにより、生地の耐久性劣化と褪色などの品質劣化を有効に回避することができる。【００３３】  また、前記の画像層４に画像のコピーまたはプリントが可能な電子画像形成シートＡは、前述のように国際規格または国内規格に合ったサイズに裁断されており、これらの複数枚を一組として袋詰めにして、通常の袋詰めコピー用紙と同様に頒布、取引、販売することができる。【００３４】  このため、一般ユーザは、その袋詰め品を購入し、家庭用やＯＡ用のコピー機やプリンタ装置を用いて、任意に作成したデザインの絵柄を持つシート素材を簡単、迅速に作成できる。また、この絵柄を持つシート素材１の全部または切り抜いた一部を衣料品や身装品などに貼り付けることで、これらに新たなデザインを付与することができる。
【産業上の利用可能性】
【００３５】  本考案にかかる電子画像形成シートは、ＯＡ用または一般家庭用のコピー機やプリンタ装置によって所定規格内の柔軟なシート素材に対して、電子画像等のコピーやプリントを確実かつ円滑に行えるという効果を有し、電子画像形成装置によってコピーまたはプリントが行える柔軟なシート素材を持つ電子画像形成シート等として有用である。
【図面の簡単な説明】
【００３６】
【図１】  本考案の実施の形態による電子画像形成シートを示す断面図である。
【図２】  図２におけるシート素材に画像層を設けた電子画像形成シートを示す断面図である。
【図３】  図２における電子画像形成シートからなるハンドバッグを示す斜視図である。
【図４】  図１における電子画像形成シートからなるパンプスを示す斜視図である。
【符号の説明】
【００３７】  １  シート素材
２  ホットメルト層
３  剥離シート
４  画像層
【図１】
0003134409.tif 000003
【図２】
0003134409.tif 000004
【図３】
0003134409.tif 000005
【図４】
0003134409.tif 000006